(57)【要約】【課題】携帯端末装置の操作が困難な状況であっても、保存すべき測定結果データを確実かつ容易に携帯端末装置に保存する。【解決手段】不揮発性記憶媒体で構成されて上書き領域および保存領域が規定された本体メモリ２１と制御部２６とを備えると共に、制御部２６が、測定装置１から送信される測定結果データＤを上書き領域に一時的に記憶させる「第１処理」、上書き領域に記憶されている最新の測定結果データＤを保存領域に記憶させる「第２処理」、および「第２処理」を開始する「処理開始条件」が満たされたか否かを監視する「第３処理」の各処理を実行可能に構成されたスマートフォン２であって、制御部２６が、「第３処理」を実行しつつ、測定装置１から測定結果データＤが送信される都度「第１処理」を実行すると共に、測定装置１から制御信号Ｓ１が送信されたときに「処理開始条件」が満たされたと判別して「第２処理」を実行する。【選択図】図１
2016032142.tif 000002
【特許請求の範囲】
【請求項１】
第１記憶部、第２記憶部および処理部を備えると共に、前記処理部が、測定装置から送信される測定結果データを前記第１記憶部に一時的に記憶させる第１処理、前記第１記憶部に記憶されている前記測定結果データのうちの予め規定された保存条件に合致する当該測定結果データを前記第２記憶部に記憶させる第２処理、および前記第２処理を開始する処理開始条件が満たされたか否かを監視する第３処理の各処理を実行する携帯端末装置であって、
前記第２記憶部は、不揮発性記憶媒体で構成され、
前記処理部は、前記第３処理を実行しつつ、前記測定装置から前記測定結果データが送信される都度、前記第１処理を実行すると共に、前記測定装置から予め規定された制御信号が送信されたときに前記処理開始条件が満たされたと判別して前記第２処理を実行する携帯端末装置。
【請求項２】
前記第２処理の開始を指示するスイッチ操作が可能な操作部を備え、
前記処理部は、前記スイッチ操作によって前記第２処理の開始を指示されたときに、前記処理開始条件が満たされたと判別して前記第２処理を実行する請求項１記載の携帯端末装置。
【請求項３】
請求項１または２記載の携帯端末装置と、
測定対象についての被測定量を測定すると共に、測定結果に基づいて前記測定結果データを生成して前記携帯端末装置に送信し、かつ予め規定された保存指示条件が満たされたときに前記予め規定された制御信号を当該携帯端末装置に送信する測定装置とを備えている測定システム。
【請求項４】
測定装置から送信される測定結果データを携帯端末装置の第１記憶部に一時的に記憶させる第１処理、前記第１記憶部に記憶されている前記測定結果データのうちの予め規定された保存条件に合致する当該測定結果データを前記携帯端末装置の不揮発性記憶媒体で構成された第２記憶部に記憶させる第２処理、および前記第２処理を開始する処理開始条件が満たされたか否かを監視する第３処理の各処理を当該携帯端末装置の処理部に実行させる測定システム用プログラムであって、
前記処理部に対して、前記第３処理を実行させつつ、前記測定装置から前記測定結果データが送信される都度、前記第１処理を実行させると共に、前記測定装置から予め規定された制御信号が送信されたときに前記処理開始条件が満たされたとして前記第２処理を実行させる手順が記録されている測定システム用プログラム。
【発明の詳細な説明】
【技術分野】
【０００１】
本発明は、測定装置から送信された測定結果データを不揮発性記憶媒体で構成された記憶部に記憶可能に構成された携帯端末装置、そのような携帯端末装置と測定装置とを備えて構成された測定システム、および測定結果データを携帯端末装置の記憶部に記憶させるための測定システム用プログラムに関するものである。
【背景技術】
【０００２】
この種の携帯端末装置、測定システムおよび測定システム用プログラムとして、出願人は、抵抗測定処理を実行可能な測定装置（クランプ式抵抗測定装置）、および測定システム用プログラムがインストールされたスマートフォン（携帯端末装置）を備えた測定システムを下記の特許文献に開示している。この測定システムでは、測定装置において測定対象の接地抵抗値が測定されて測定結果表示用データ（測定結果データ）に基づく接地抵抗値が測定装置の表示部に表示されると共に、スマートフォンにおいて、制御部が、測定システム用プログラムに従い、測定装置に対して測定結果表示用データの送信を要求し、これに応じて測定装置から送信される測定結果表示用データ（測定結果データ）に基づいてスマートフォンの表示部に接地抵抗値を表示させる構成が採用されている。
【０００３】
この場合、出願人が開示している測定システムでは、スマートフォンの制御部が、測定装置から順次送信される測定結果表示用データをストレージメモリに上書きしつつ、最新の測定結果表示用データに基づく接地抵抗値を表示部に表示させると共に、表示部（タッチパネル）に表示させている「データ保存」との操作スイッチが操作されたときに、その時点においてストレージメモリに記憶されている測定結果表示用データ（最新の測定結果表示用データ）を保存する（ストレージメモリの他の記憶領域に記憶させることで、その後に送信される他の測定結果表示用データによる上書きを規制する）構成が採用されている。これにより、出願人が開示している測定システムでは、測定装置から順次送信される測定結果表示用データに基づく最新の接地抵抗値の表示（接地抵抗値が逐次更新される表示）だけでなく、「データ保存」との操作スイッチの操作によってストレージメモリに保存した測定結果表示用データに基づく接地抵抗値の表示を行うことが可能となっている。
【先行技術文献】
【特許文献】
【０００４】
【特許文献１】特開２０１３−１９８０２４号公報（第７−１４頁、第１−４図）
【発明の概要】
【発明が解決しようとする課題】
【０００５】
ところが、出願人が開示している測定システムには、以下のような改善すべき課題が存在する。すなわち、出願人が開示している測定システムでは、スマートフォンにおいて、測定装置から順次送信される測定結果表示用データをストレージメモリに上書きすると共に、「データ保存」との操作スイッチが操作されたときに、その時点においてストレージメモリに一時的に記憶されている測定結果表示用データをそのストレージメモリの他の記憶領域に保存する構成が採用されている。しかしながら、出願人が開示している測定システムでは、例えば、測定対象をクランプした状態の測定装置を支えつつ、スマートフォンの「データ保存」との操作スイッチを操作するのが困難なことがあり、測定結果表示用データを保存すべきタイミングで「データ保存」との操作スイッチを操作することができずに、必要な測定結果表示用データをストレージメモリに保存できないことがある。このため、この点を改善するのが好ましい。
【０００６】
本発明は、かかる改善すべき課題に鑑みてなされたものであり、携帯端末装置の操作が困難な状況であっても、保存すべき測定結果データを確実かつ容易に携帯端末装置に保存し得る携帯端末装置、測定システムおよび測定システム用プログラムを提供することを主目的とする。
【課題を解決するための手段】
【０００７】
上記目的を達成すべく請求項１記載の携帯端末装置は、第１記憶部、第２記憶部および処理部を備えると共に、前記処理部が、測定装置から送信される測定結果データを前記第１記憶部に一時的に記憶させる第１処理、前記第１記憶部に記憶されている前記測定結果データのうちの予め規定された保存条件に合致する当該測定結果データを前記第２記憶部に記憶させる第２処理、および前記第２処理を開始する処理開始条件が満たされたか否かを監視する第３処理の各処理を実行する携帯端末装置であって、前記第２記憶部は、不揮発性記憶媒体で構成され、前記処理部は、前記第３処理を実行しつつ、前記測定装置から前記測定結果データが送信される都度、前記第１処理を実行すると共に、前記測定装置から予め規定された制御信号が送信されたときに前記処理開始条件が満たされたと判別して前記第２処理を実行する。
【０００８】
また、請求項２記載の携帯端末装置は、請求項１記載の携帯端末装置において、前記第２処理の開始を指示するスイッチ操作が可能な操作部を備え、前記処理部は、前記スイッチ操作によって前記第２処理の開始を指示されたときに、前記処理開始条件が満たされたと判別して前記第２処理を実行する。
【０００９】
また、請求項３記載の測定システムは、請求項１または２記載の携帯端末装置と、測定対象についての被測定量を測定すると共に、測定結果に基づいて前記測定結果データを生成して前記携帯端末装置に送信し、かつ予め規定された保存指示条件が満たされたときに前記予め規定された制御信号を当該携帯端末装置に送信する測定装置とを備えている。
【００１０】
また、請求項４記載の測定システム用プログラムは、測定装置から送信される測定結果データを携帯端末装置の第１記憶部に一時的に記憶させる第１処理、前記第１記憶部に記憶されている前記測定結果データのうちの予め規定された保存条件に合致する当該測定結果データを前記携帯端末装置の不揮発性記憶媒体で構成された第２記憶部に記憶させる第２処理、および前記第２処理を開始する処理開始条件が満たされたか否かを監視する第３処理の各処理を当該携帯端末装置の処理部に実行させる測定システム用プログラムであって、前記処理部に対して、前記第３処理を実行させつつ、前記測定装置から前記測定結果データが送信される都度、前記第１処理を実行させると共に、前記測定装置から予め規定された制御信号が送信されたときに前記処理開始条件が満たされたとして前記第２処理を実行させる手順が記録されている。
【発明の効果】
【００１１】
請求項１記載の携帯端末装置では、処理部が、第２処理を開始する処理開始条件が満たされたか否かを監視する第３処理を実行しつつ、測定装置から測定結果データが送信される都度、その測定結果データを第１記憶部に一時的に記憶させる第１処理を実行すると共に、測定装置から予め規定された制御信号が送信されたときに処理開始条件が満たされたと判別して、第１記憶部に記憶されている測定結果データのうちの予め規定された保存条件に合致する測定結果データを第２記憶部に記憶させる第２処理を実行する。
【００１２】
また、請求項３記載の測定システムでは、上記の携帯端末装置と、測定対象についての被測定量を測定すると共に、測定結果に基づいて測定結果データを生成して携帯端末装置に送信し、かつ予め規定された保存指示条件が満たされたときに予め規定された制御信号を携帯端末装置に送信する測定装置とを備えている。
【００１３】
さらに、請求項４記載の測定システム用プログラムでは、携帯端末装置の処理部に対して、第２処理を開始する処理開始条件が満たされたか否かを監視する第３処理を実行させつつ、測定装置から測定結果データが送信される都度、その測定結果データを第１記憶部に一時的に記憶させる第１処理を実行させると共に、測定装置から予め規定された制御信号が送信されたときに処理開始条件が満たされたとして、第１記憶部に記憶されている測定結果データのうちの予め規定された保存条件に合致する測定結果データを第２記憶部に記憶させる第２処理を実行させる手順が記録されている。
【００１４】
したがって、請求項１記載の携帯端末装置、請求項３記載の測定システム、および請求項４記載の測定システム用プログラムによれば、測定結果データを保存すべきときに測定装置から予め規定された制御信号が出力されるように規定しておくことで、測定結果データを保存すべきときに測定装置から携帯端末装置に制御信号が送信され、これに応じて、携帯端末装置の第１記憶部に記憶されている測定結果データが第２記憶部に自動的に記憶されるため、携帯端末装置の操作が困難な状況であっても、保存すべき測定結果データを確実かつ容易に保存することができる。
【００１５】
また、請求項２記載の携帯端末装置および請求項３記載の測定システムによれば、処理部が、スイッチ操作によって第２処理の開始を指示されたときに、処理開始条件が満たされたと判別して第２処理を実行することにより、測定システム用プログラムに従っての自動保存だけでなく、利用者が希望する任意のタイミングでスイッチ操作を行うことで第１記憶部に記憶されている測定結果データを第２記憶部に保存することができる。
【図面の簡単な説明】
【００１６】
【図１】測定システム１００の構成を示すブロック図である。
【図２】測定システム１００における測定装置１およびスマートフォン２の外観図である。
【発明を実施するための形態】
【００１７】
以下、携帯端末装置、測定システムおよび測定システム用プログラムの実施の形態について、添付図面を参照して説明する。
【００１８】
図１，２に示す測定システム１００は、「測定システム」の一例であって、測定装置１およびスマートフォン２を備えて構成されている。この場合、「スマートフォン」は、広義には、ＰＤＡ（携帯情報端末）の機能が備わった携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。また、上記のスマートフォン２は、「携帯端末装置」の一例であって、後述するように、この測定システム１００専用の測定システム用プログラムＤｐ（「測定システム用プログラム」の一例）がインストールされた既存の「スマートフォン」で構成されている。
【００１９】
測定装置１は、「測定装置」の一例であるクランプ式電流測定装置であって、図１に示すように、測定部１１、操作部１２、表示部１３、無線通信部１４、有線通信部１５、制御部１６およびメモリ１７を備えて構成されている。測定部１１は、制御部１６の制御に従い、クランプセンサ部１１ａ（図２参照）によってクランプした図示しない測定対象を流れる電流の電流値（「被測定量」の一例）を測定して、測定値（電流値）を制御部１６に出力する。
【００２０】
操作部１２は、図２に示すように、後述するように測定結果に基づいて逐次更新される表示部１３の測定値をホールド／ホールド解除（測定値の表示替えの規制、および規制の解除）するためのＨＯＬＤスイッチ１２ａや、スマートフォン２に対してデータ保存処理の実行を指示するためのデータ保存スイッチ１２ｂなどの複数の操作スイッチを備え、スイッチ操作に応じた操作信号を制御部１６に出力する。表示部１３は、制御部１６の制御に従い、設定されている測定モードの種類やバッテリの残量等を表示すると共に、測定結果に基づく測定値（電流値）などを表示する。
【００２１】
無線通信部１４は、一例として、ブルートゥース（Bluetooth ：登録商標）規格に準じた近距離無線通信を実行可能に構成されて、後述するようにスマートフォン２との間でペアリングされた状態において各種の信号やデータを送受信する。また、有線通信部１５は、一例として、ＵＳＢ規格に準じた接続コネクタ（図示せず）を備え、この接続コネクタに接続される信号ケーブルＣ（図１参照）を介してスマートフォン２と接続可能に構成されて信号ケーブルＣを介して各種の信号やデータを送受信する。具体的には、図１に示すように、無線通信部１４および有線通信部１５は、制御部１６の制御に従い、スマートフォン２から送信された送信要求信号Ｓ０の受信処理、およびスマートフォン２に対する測定結果データＤや制御信号Ｓ１の送信処理などを実行する。
【００２２】
制御部１６は、測定装置１を総括的に制御する。具体的には、制御部１６は、操作部１２のスイッチ操作によって設定された測定条件に従って測定部１１を制御して電流値の測定処理を実行させる。また、制御部１６は、測定部１１から出力される測定値に基づいて測定結果データＤを生成してメモリ１７に記憶させると共に、生成した測定結果データＤに基づく測定値（電流値）を表示部１３に表示させる。さらに、制御部１６は、スマートフォン２から送信される送信要求信号Ｓ０に従い、生成した測定結果データＤを無線通信部１４または有線通信部１５からスマートフォン２に送信させる。また、制御部１６は、スマートフォン２に測定結果データＤを保存させる条件（後述する「保存指示条件」）が満たされたときに、測定結果データＤの保存を指示する制御信号Ｓ１を無線通信部１４または有線通信部１５からスマートフォン２に送信させる。メモリ１７は、制御部１６の動作プログラムや、制御部１６によって生成される測定結果データＤなどを一時的に記憶する。
【００２３】
この測定装置１では、測定対象を流れている電流値をリアルタイムに測定する通常測定モードによる測定処理だけでなく、測定対象を流れた突入電流の電流値を測定する突入電流測定モードによる測定処理を実行することができるように構成されている。この場合、通常測定モードによる電流値の測定に際しては、例えば、測定処理の開始直後に電流値が小刻みに変動して正確な測定値（電流値）の特定が困難な状態となることがある。したがって、本例の測定装置１では、通常測定モードで測定処理を開始したときに、制御部１６が、測定部１１から出力される測定値（電流値）の変動に応じて表示部１３に表示させる電流値を逐次表示替えすると共に、測定部１１から出力される測定値が予め設定された基準を満たす安定状態となったときに、その時点において表示部１３に表示させている測定値（電流値）をホールドする「自動ホールド処理」を実行することができるように構成されている。
【００２４】
また、この測定装置１では、通常測定モードによる測定処理の実行中に操作部１２のＨＯＬＤスイッチ１２ａが操作されたときには、制御部１６が、その時点において表示部１３に表示させている測定値（電流値）をホールドする「手動ホールド処理」を実行する構成が採用されている。さらに、この測定装置１では、制御部１６が、通常測定モードでの測定処理に際して「自動ホールド処理」または「手動ホールド処理」を実行して測定値をホールドしたときに、「保存指示条件」が満たされたと判別して、最新の測定結果データＤを保存する処理の開始を指示する制御信号Ｓ１（「予め規定された制御信号」の一例）を無線通信部１４または有線通信部１５からスマートフォン２に送信させる処理を実行する。
【００２５】
また、突入電流測定モードによる測定処理に際しては、制御部１６が、測定部１１から出力される測定値（電流値）の変化に応じて表示部１３に表示させる測定値（電流値）を逐次表示替えさせつつ、測定部１１から出力される測定値に基づいて突入電流値を特定する処理を実行する。さらに、制御部１６は、突入電流値の特定が完了したときに、特定した突入電流値を「INRUSH」との文字列と共に表示部１３に表示させると共に、「保存指示条件」が満たされたと判別して、最新の測定結果データＤを保存する処理の開始を指示する制御信号Ｓ１（「予め規定された制御信号」の他の一例）を無線通信部１４または有線通信部１５からスマートフォン２に送信させる処理を実行する。
【００２６】
また、この測定装置１では、通常測定モードおよび突入電流測定モードのいずれで測定処理を実行しているかに拘わらず、操作部１２のデータ保存スイッチ１２ｂが操作されたときにも、制御部１６が、「保存指示条件」が満たされたと判別して、最新の測定結果データＤを保存する処理の開始を指示する制御信号Ｓ１（「予め規定された制御信号」のさらに他の一例）を無線通信部１４または有線通信部１５からスマートフォン２に送信させる処理を実行する。
【００２７】
一方、スマートフォン２は、上記したように、測定システム用プログラムＤｐがインストールされた既存の「スマートフォン」で構成されている。具体的には、図１に示すように、スマートフォン２は、本体メモリ２１、操作部２２、表示部２３、無線通信部２４、有線通信部２５、制御部２６およびストレージメモリ装着部２７を備えて構成されている。なお、スマートフォン２における「携帯電話としての機能」や「ＰＤＡとしての機能」を実現するための構成要素については公知のため、図示および説明を省略する。本体メモリ２１（「不揮発性記憶媒体」の一例）は、スマートフォン２の動作プログラムを記憶すると共に、測定システム用プログラムＤｐ等の各種プログラム（利用者がインストールしたプログラム）を記憶する。なお、測定システム用プログラムＤｐ等のプログラムの一部については、ストレージメモリ装着部２７に装着されたストレージメモリＭにインストールすることもできる。
【００２８】
この場合、本例のスマートフォン２（測定システム用プログラムＤｐ）では、測定装置１から送信される測定結果データＤを順次上書きするための記憶領域（以下、「上書き領域」ともいう）、および、後述する「保存条件」に合致する測定結果データＤを保存するための記憶領域（以下、「保存領域」ともいう）の２つの記憶領域が本体メモリ２１内に規定されると共に、上書き領域を「第１記憶部」とし、かつ保存領域を「第２記憶部」として、後述する「第１処理」、「第２処理」および「第３処理」を実行する構成が採用されている（「第１記憶部」および「第２記憶部」を１つの記憶媒体内に設けた構成の例）。なお、上書き領域および保存領域については、いずれか一方または双方をストレージメモリＭ（「不揮発性記憶媒体」の他の一例）内に規定することもできる。
【００２９】
操作部２２は、「操作部」の一例であって、図示しない電源スイッチなどの他に、表示部２３の表面側に配設されたタッチパネルを備えて構成されて、これらの操作に応じた操作信号を制御部２６に出力する。表示部２３は、制御部２６の制御に従って各種の表示画面を表示する。この場合、本例のスマートフォン２では、後述するように測定システム用プログラムＤｐが起動されたときに、図２に示すように、測定処理用画面３０が表示部２３に表示される。
【００３０】
この測定処理用画面３０には、一例として、測定装置１から送信された測定結果データＤに基づく測定結果（電流値）を表す測定結果表示３１や、後述するように測定装置１から順次送信される測定結果データＤに基づいて逐次表示替えされる測定結果表示３１（測定値）のホールドおよびホールドの解除（表示替えの規制、および規制の解除）を行うためのＨＯＬＤスイッチ３２ａ、および最新の測定結果データＤを本体メモリ２１の保存領域に保存するデータ保存処理の実行を指示するデータ保存スイッチ３２ｂなどの各種の操作スイッチ（タッチパネルを介して操作可能な疑似スイッチ）を有する操作スイッチ表示３２が表示される。なお、後述するように、本例のスマートフォン２（測定システム用プログラムＤｐ）では、データ保存スイッチ３２ｂに対するタッチ操作が「第２処理の開始を指示するスイッチ操作」に相当する。
【００３１】
無線通信部２４は、測定装置１の無線通信部１４と同様にして、ブルートゥース規格に準じた近距離無線通信を実行可能に構成されて、後述するように測定装置１との間でペアリングされた状態において各種の信号やデータを送受信する。また、有線通信部２５は、測定装置１の有線通信部１５と同様にして、ＵＳＢ規格に準じた接続コネクタを備え、この接続コネクタに接続される信号ケーブルＣを介して測定装置１と接続可能に構成されて信号ケーブルＣを介して各種の信号やデータを送受信する。具体的には、無線通信部２４および有線通信部２５は、制御部２６の制御に従い、測定装置１に対する送信要求信号Ｓ０の送信処理、および測定装置１から送信された測定結果データＤや制御信号Ｓ１の受信処理などを実行する。
【００３２】
制御部２６は、「処理部」の一例であって、スマートフォン２を総括的に制御する。具体的には、制御部２６は、測定システム用プログラムＤｐに従い、測定処理用画面３０を表示部２３に表示させると共に、無線通信部２４または有線通信部２５を介して測定装置１に送信要求信号Ｓ０を送信する処理を実行する。また、制御部２６は、無線通信部２４または有線通信部２５によって測定結果データＤが受信されたときに、受信された測定結果データＤを本体メモリ２１の上書き領域に記憶させる処理（測定結果データＤの上書き：「一時的に記憶させる」との「第１処理」の一例）を実行する。さらに、制御部２６は、本体メモリ２１の上書き領域に記憶させた測定結果データＤに基づく測定結果（電流値）を測定処理用画面３０に測定結果表示３１として数値表示させる処理を実行する。
【００３３】
また、制御部２６は、測定装置１から送信された制御信号Ｓ１（「予め規定された制御信号」の一例）」が無線通信部２４または有線通信部２５によって受信されたか否かを監視する処理（「第３処理」の一例）を継続的に実行する。さらに、制御部２６は、測定装置１から送信された制御信号Ｓ１が無線通信部２４または有線通信部２５によって受信されたときに、「開始条件」が満たされたと判別して、上書き領域に記憶されている最新の測定結果データＤを保存領域に記憶させるデータ保存処理（「第２処理」の一例）を実行する。また、制御部２６は、データ保存スイッチ３２ｂが操作されたときにも、「開始条件」が満たされたと判別して、上書き領域に記憶されている最新の測定結果データＤを保存領域に記憶させるデータ保存処理（「第２処理」の他の一例）を実行する。
【００３４】
この場合、本例のスマートフォン２（測定システム用プログラムＤｐ）では、上記したように、「上書き領域に記憶されている最新の測定結果データＤ」を「予め規定された保存条件に合致する測定結果データ」として保存領域に記憶させる（保存する）構成が採用されているが、このような構成に代えて、「制御信号Ｓ１の送信後に測定装置１から送信される最新の測定結果データＤ」を「予め規定された保存条件に合致する測定結果データ」として保存領域に記憶させる（保存する）構成を採用することもできる。
【００３５】
なお、このスマートフォン２にインストールされている測定システム用プログラムＤｐは、制御部２６に対して、測定装置１から送信された制御信号Ｓ１が無線通信部２４または有線通信部２５によって受信されたか否かを監視する「第３処理」を実行させつつ、測定装置１から測定結果データＤが送信される都度、無線通信部２４または有線通信部２５によって受信された測定結果データＤを本体メモリ２１の上書き領域に記憶させる「第１処理」を実行させると共に、無線通信部２４または有線通信部２５によって制御信号Ｓ１が受信されたとき（測定装置１から制御信号Ｓ１が送信されたとき）、およびデータ保存スイッチ３２ｂが操作されたときに、「第２処理」を開始する「開始条件」が満たされたとして、本体メモリ２１の上書き領域に記憶されている最新の測定結果データＤを本体メモリ２１の保存領域に記憶させる「第２処理」を実行させる手順が記録されている。
【００３６】
この測定システム１００の使用に際しては、まず、スマートフォン２に測定システム用プログラムＤｐをインストールする。この測定システム用プログラムＤｐについては、一例として、測定装置１の附属品としてインストール用光ディスクを提供したり、インターネット内の任意のサイトからダウンロードして使用するようにしたりすることができる。なお、測定システム用プログラムＤｐのインストール作業に関しては、「スマートフォン」に対する各種プログラムのインストール作業と同様のため、詳細な説明を省略する。次いで、測定装置１とスマートフォン２との間においてブルートゥースのペアリングを行う。なお、ペアリング作業に関しては、公知の各種ブルートゥース機器のペアリング作業と同様のため、詳細な説明を省略する。これにより、測定システム１００を使用する準備が整う。
【００３７】
また、測定システム１００を使用して測定対象についての測定処理を実施するには、まず、測定装置１の操作部１２を制御して測定処理の条件を設定する。この際には、一例として、突入電流測定モードで測定処理を実行するように設定する。次いで、スマートフォン２の操作部２２を操作して、一例として、無線通信部２４をオン状態にする（通信可能な状態とする）。この際には、前述したペアリング作業によってペアリングされた測定装置１の無線通信部１４とスマートフォン２の無線通信部２４とが相互に通信可能な状態となる。続いて、操作部２２を操作して測定システム用プログラムＤｐを起動させる。この際に、制御部２６は、測定システム用プログラムＤｐに従い、表示部２３に測定処理用画面３０を表示させる。
【００３８】
この場合、本例のスマートフォン２（測定システム用プログラムＤｐ）では、一例として、スマートフォン２による測定結果データＤの自動保存処理（スマートフォン２における「第２処理」の実行）を行うように設定されている。したがって、スマートフォン２による測定結果データＤの自動保存処理が不要なとき（スマートフォン２のデータ保存スイッチ３２ｂを操作したときだけ測定結果データＤが保存される使用態様を希望するとき）には、操作部２２を操作して測定処理用画面３０上に動作条件設定画面（図示せず）を重ねて表示させ、自動保存処理を実行しないように設定する。なお、本例では、自動保存処理を行うように設定された状態を維持する。
【００３９】
一方、制御部２６は、測定システム用プログラムＤｐに従って測定処理用画面３０を表示させたとき（上記の動作条件設定画面を表示させたときには、操作部２２の操作によってその動作条件設定画面が閉じられて測定処理用画面３０が再表示されたとき）に、無線通信部２４を制御して、測定装置１に対して測定結果データＤの送信を要求する送信要求信号Ｓ０（測定結果データＤの受信準備が整った旨を報知する信号）を送信させる。また、制御部２６は、後述するように測定装置１から送信される測定結果データＤや制御信号Ｓ１が無線通信部２４等によって受信されたか否かの監視を開始する。なお、本例のスマートフォン２（測定システム用プログラムＤｐ）では、無線通信部２４によって制御信号Ｓ１が受信されたか否か（測定装置１から制御信号Ｓ１が送信されたか否か）を監視する処理が「第３処理」に相当する。
【００４０】
次いで、測定装置１の操作部１２を操作して測定部１１による電流値の測定処理を開始させると共に、電流が供給されていない状態の測定対象をクランプセンサ部１１ａによってクランプする。この際に、制御部１６は、設定された測定条件に従って測定部１１を制御して測定部１１に測定処理を開始させる。これに応じて、測定部１１が、電流値の測定処理を開始すると共に、「０Ａ」との測定値を制御部１６に出力する。また、制御部１６は、測定部１１から出力された測定値に基づいて測定結果データＤを生成してメモリ１７に記憶させると共に、表示部１３を制御して「０Ａ」との電流値を測定結果として表示させる。また、この時点においては、上記したようにスマートフォン２から最初の送信要求信号Ｓ０が送信されているため、制御部１６は、無線通信部１４からスマートフォン２に測定結果データＤを送信させる。
【００４１】
また、スマートフォン２では、測定装置１（無線通信部１４）から送信された測定結果データＤが無線通信部２４によって受信されたときに、制御部２６が、その測定結果データＤを本体メモリ２１の上書き領域に記憶させる処理（「第１処理」の一例）を実行すると共に、表示部２３を制御して、受信された測定結果データＤに基づく測定結果（この例では、「０Ａ」との電流値）を測定結果表示３１として測定処理用画面３０に表示させる。さらに、制御部２６は、無線通信部２４を制御して、次の測定結果データＤの送信を要求する送信要求信号Ｓ０を測定装置１に送信させる。
【００４２】
これに応じて、測定装置１では、制御部１６が、測定部１１から出力された測定値に基づいて新たに生成した測定結果データＤ（測定対象に電流が供給されていないこの時点においては、「０Ａ」との電流値の測定結果データＤ）を無線通信部１４からスマートフォン２に送信させる。また、スマートフォン２では、測定装置１から送信された測定結果データＤが無線通信部２４によって受信されたときに、制御部２６が「第１処理」を実行して本体メモリ２１の上書き領域に上書きし、かつ受信された測定結果データＤに基づく測定結果（この例では、「０Ａ」との電流値）で測定処理用画面３０の測定結果表示３１を表示替えすると共に、次の測定結果データＤの送信を要求する送信要求信号Ｓ０を無線通信部２４から送信させる。この後、測定装置１による電流値の測定および測定結果データＤの送信と、スマートフォン２による測定結果データＤの上書きおよび「０Ａ」との測定結果の表示とが繰り返して実行される
【００４３】
次いで、測定装置１のクランプセンサ部１１ａによってクランプしている測定対象に対する電流の供給を開始する。この際に、測定装置１では、測定部１１が、測定対象を流れる電流値を測定して制御部１６に出力し、制御部１６が、測定部１１から出力された測定値（電流値）に基づく測定結果データＤの生成処理（メモリ１７への記憶）、測定結果データＤに基づく表示部１３への測定値の表示処理、およびスマートフォン２からの送信要求信号Ｓ０に応じての測定結果データＤの送信処理を実行する。また、スマートフォン２では、制御部２６が、測定システム用プログラムＤｐに従い、測定装置１からの制御信号Ｓ１の送信の有無を監視する「第３処理」を継続しつつ、無線通信部２４によって受信された測定結果データＤの上書き領域への記憶（「第１処理」の実行）、受信された測定結果データＤに基づく測定結果表示３１（電流値）の表示替え、および測定装置１に対する送信要求信号Ｓ０の送信処理を繰り返し実行する。
【００４４】
一方、測定装置１では、制御部１６が、上記の各処理と並行して、測定部１１から出力される測定値に基づき、測定対象を流れた突入電流値を特定する処理を行う。また、制御部１６は、突入電流値の特定が完了したときに、特定した電流値（突入電流値）に基づいて測定結果データＤを生成し、図２に示すように、その測定結果データＤに基づく電流値（一例として、「９５．８Ａ」との値）を「INRUSH」との文字列と共に表示部１３に表示させる。さらに、制御部１６は、無線通信部１４から測定結果データＤを送信させると共に、突入電流値の特定が完了したことで「保存指示条件」が満たされたと判別して無線通信部１４からスマートフォン２に制御信号Ｓ１を送信させる。
【００４５】
一方、スマートフォン２では、制御部２６が、測定装置１から送信されて無線通信部２４によって受信された測定結果データＤを本体メモリ２１の上書き領域に記憶させ、その測定結果データＤに基づいて測定結果表示３１を「９５．８Ａ」との値に表示替えさせる。また、制御部２６は、測定結果データＤに続いて測定装置１から送信された制御信号Ｓ１が無線通信部２４によって受信されたときに、「処理開始条件」が満たされたと判別する。
【００４６】
この際に、制御部２６は、その時点において上書き領域に記憶されている測定結果データＤ（この例では、「９５．８Ａ」との電流値の測定結果データＤ）を保存領域に記憶させる処理（「第２処理」の一例）を実行する。また、制御部２６は、測定処理用画面３０に「INRUSH」との文字列を表示させる。これにより、例えば、クランプセンサ部１１ａによって測定対象をクランプしている測定装置１を手で支えている状態においても、スマートフォン２を操作することなく、測定装置１によって測定された突入電流値の測定結果データＤがスマートフォン２の本体メモリ２１における保存領域に保存される。
【００４７】
なお、測定装置１において、突入電流測定モードに代えて通常測定モードでの測定処理を実行させたときには、測定部１１によって測定された測定値（電流値）に基づいて制御部１６によって生成された測定結果データＤが測定装置１（無線通信部１４）からスマートフォン２に送信され、制御部２６が、無線通信部２４によって受信された測定結果データＤを本体メモリ２１の上書き領域に上書きする「第１処理」を実行する。また、測定部１１から出力される測定値（電流値）が予め設定された基準を満たす安定状態となったときに、制御部１６が、その時点において表示部１３に表示させている測定値（電流値）をホールドする「自動ホールド処理」を実行すると共に、「保存指示条件」が満たされたと判別して無線通信部１４からスマートフォン２に制御信号Ｓ１を送信させる。
【００４８】
また、スマートフォン２では、制御部２６が、無線通信部２４によって制御信号Ｓ１が受信されたときに、「処理開始条件」が満たされたと判別し、その時点において上書き領域に記憶されている測定結果データＤを保存領域に記憶させる処理（「第２処理」の他の一例）を実行する。これにより、前述した突入電流値の測定時と同様にして、スマートフォン２を操作することなく、測定装置１によって測定された電流値の測定結果データＤがスマートフォン２の本体メモリ２１における保存領域に保存される。
【００４９】
さらに、突入電流測定モードによる測定処理、および通常測定モードによる測定処理のいずれを実行しているかに拘わらず、測定装置１のデータ保存スイッチ１２ｂが操作されたときには、制御部１６が、「保存指示条件」が満たされたと判別して無線通信部１４からスマートフォン２に制御信号Ｓ１を送信させ、これに応じて、スマートフォン２の制御部２６が、「処理開始条件」が満たされたと判別し、その時点において上書き領域に記憶されている測定結果データＤを保存領域に記憶させる処理（「第２処理」のさらに他の一例）を実行する。また、スマートフォン２のデータ保存スイッチ３２ｂが操作されたときには、制御部２６が、「処理開始条件」が満たされたと判別し、その時点において上書き領域に記憶されている測定結果データＤを保存領域に記憶させる処理（「第２処理」のさらに他の一例）を実行する。これにより、この測定システム１００では、出願人が開示している従来の測定システムと同様にして、利用者が希望する任意のタイミングでスマートフォン２の保存領域に測定結果データＤを保存することが可能となっている。
【００５０】
なお、送信要求信号Ｓ０、測定結果データＤおよび制御信号Ｓ１などの各種の信号やデータを無線通信部１４，２４間での無線通信によって送受信させる使用方法を例に挙げて説明したが、この測定システム１００では、有線通信部１５，２５の間を信号ケーブルＣで接続した状態において、信号ケーブルＣを介して各種の信号やデータを送受信させることもできる。このように、信号ケーブルＣを介して送受信させたときにも、測定装置１およびスマートフォン２によって上記の各処理と同様の処理が実行される。
【００５１】
このように、このスマートフォン２では、制御部２６が、「第２処理」を開始する処理開始条件が満たされたか否か（本例では、測定装置１から制御信号Ｓ１が送信されたか否か）を監視する「第３処理」を実行しつつ、測定装置１から測定結果データＤが送信される都度、その測定結果データＤを本体メモリ２１の上書き領域に一時的に記憶させる「第１処理」を実行すると共に、測定装置１から制御信号Ｓ１が送信されたときに「処理開始条件」が満たされたと判別して、上書き領域に記憶されている測定結果データＤのうちの「予め規定された保存条件」に合致する測定結果データＤ（上書き領域に測定結果データＤを上書きする本例では、その時点において上書き領域に記憶されている最新の測定結果データＤ））を本体メモリ２１の保存領域に記憶させる「第２処理」を実行する。
【００５２】
また、この測定システム１００では、上記のスマートフォン２と、測定対象についての被測定量（本例では、電流値）を測定すると共に、測定結果に基づいて測定結果データＤを生成してスマートフォン２に送信し、かつ「予め規定された保存指示条件」が満たされたときに制御信号Ｓ１をスマートフォン２に送信する測定装置１とを備えている。
【００５３】
さらに、この測定システム用プログラムＤｐでは、スマートフォン２の制御部２６に対して、「第２処理」を開始する「処理開始条件」が満たされたか否かを監視する「第３処理」を実行させつつ、測定装置１から測定結果データＤが送信される都度、その測定結果データＤを本体メモリ２１の上書き領域に一時的に記憶させる「第１処理」を実行させると共に、測定装置１から制御信号Ｓ１が送信されたときに「処理開始条件」が満たされたとして、本体メモリ２１に記憶されている測定結果データＤのうちの「予め規定された保存条件」に合致する測定結果データＤ（本例では、上書き領域に記憶されている最新の測定結果データＤ）を本体メモリ２１の保存領域に記憶させる「第２処理」を実行させる手順が記録されている。
【００５４】
したがって、このスマートフォン２、測定システム１００および測定システム用プログラムＤｐによれば、測定結果データＤを保存すべきときに測定装置１から制御信号Ｓ１が出力されるように規定しておくことで、測定結果データＤを保存すべきときに測定装置１からスマートフォン２に制御信号Ｓ１が送信され、これに応じて、スマートフォン２の上書き領域に記憶されている測定結果データＤが保存領域に自動的に記憶されるため、スマートフォン２の操作が困難な状況であっても、保存すべき測定結果データＤを確実かつ容易に保存することができる。
【００５５】
また、このスマートフォン２および測定システム１００によれば、制御部２６が、操作部２２に対するスイッチ操作（データ保存スイッチ３２ｂの操作）によって「第２処理」の開始を指示されたときに、「処理開始条件」が満たされたと判別して「第２処理」を実行することにより、測定システム用プログラムＤｐに従っての自動保存だけでなく、利用者が希望する任意のタイミングでデータ保存スイッチ３２ｂを操作することで上書き領域に記憶されている測定結果データＤを保存領域に保存することができる。
【００５６】
なお、携帯端末装置、測定システムおよび測定システム用プログラムの構成は、上記の例示に限定されない。例えば、「不揮発性記憶媒体」で構成された本体メモリ２１やストレージメモリＭに規定した「上書き領域」を「第１記憶部」として使用する例について説明したが、この「第１記憶部」については、ＲＡＭなどの「揮発性記憶媒体」で構成することができる。また、本体メモリ２１やストレージメモリＭに規定した「保存領域」を「第２記憶部」として使用する例について説明したが、この「第２記憶部」については、ＨＤＤや光ディスク等の各種の「不揮発性記憶媒体」で構成することができる。
【００５７】
さらに、送信要求信号Ｓ０、測定結果データＤおよび制御信号Ｓ１などの各種の信号やデータを、ブルートゥース規格に準じた近距離無線通信によって送受信する構成を例に挙げて説明したが、このような構成に代えて（または、この構成に加えて）、無線ＬＡＮに接続可能な無線通信部、ＺｉｇＢｅｅ（登録商用）規格に準じた近距離無線通信が可能な無線通信部、およびＩｒＤＡ規格に準じた赤外線通信を実行可能な無線通信部を備えて各種の信号やデータを送受信する構成を採用することもできる。
【００５８】
また、ＵＳＢ規格に準じた接続コネクタを有する有線通信部１５，２５の間で各種の信号やデータを送受信する構成を例に挙げて説明したが、このような構成に代えて（または、この構成に加えて）、ＩＥＥＥ４８８規格や、ＩＥＥＥ１３９４規格などに準じた各種の有線通信規格で各種の信号やデータを送受信する構成を採用することもできる。さらに、測定装置１およびスマートフォン２間の通信手段としては、近距離無線通信や有線通信等に限定されず、公衆回線網やインターネット通信網等を利用した遠距離通信を利用することもできる。
【００５９】
また、測定結果を表示可能な表示部１３を備えた測定装置１を例に挙げて説明したが、「測定装置」に「表示部」が存在しない構成を採用することもできる。さらに、測定結果データＤに基づく測定結果表示３１をスマートフォン２の表示部２３（測定処理用画面３０）に表示させる構成を例に挙げて説明したが、「携帯端末装置」において測定結果データＤに基づく測定結果の表示を行わない構成を採用することもできる。さらに、「被測定量」として電流値を測定して「測定結果データ」を保存する構成を例に挙げて説明したが、電圧値、抵抗値、位相、電力値、温度、湿度、歪み、輝度（光度）、照度、雨量および流量等の各種のパラメータを「被測定量」として測定して「測定結果データ」を保存する構成を採用することもできる。加えて、「携帯端末装置」は、「スマートフォン」に限定されず、「タブレット端末」や「ノート型パーソナルコンピュータ」に「測定システム用プログラム」をインストールして「携帯端末装置」として使用することもできる。
【符号の説明】
【００６０】
１００  測定システム
１  測定装置
２  スマートフォン
１１  測定部
１１ａ  クランプセンサ部
１２，２２  操作部
１２ａ，３２ａ，  ＨＯＬＤスイッチ
１２ｂ，３２ｂ  データ保存スイッチ
１３，２３  表示部
１４，２４  無線通信部
１５，２５  有線通信部
１６，２６  制御部
１７  メモリ
２１  本体メモリ
２７  ストレージメモリ装着部
３０  測定処理用画面
３１  測定結果表示
３２  操作スイッチ表示
Ｃ  信号ケーブル
Ｄ  測定結果データ
Ｄｐ  測定システム用プログラム
Ｍ  ストレージメモリ
Ｓ０  送信要求信号
Ｓ１  制御信号
【図１】
2016032142.tif 000003
【図２】
2016032142.tif 000004